(57)【要約】【課題】可動座金部材を導電金具へ組み付け易く、且つ、可動座金部材が導電金具から脱落し難いネジ式端子台を提供する。【解決手段】取付ネジ５５を挿通装着する平板状の座金片部と、該座金片部の縁に垂設される杆状の案内片部と、該座金片部の縁に立設される係合片部７３とを屈曲形成してなる一体の金属板片によって可動座金部材５４を構成し、案内片部を導電金具５３に形成された座金保持孔に挿通することによって、該座金片部が接続片部６１に対して離近移動可能となるよう保持するとともに、樹脂製基板５２に可動座金部材５４の係合片部７３と嵌合する係合溝８６を形成し、バネ５６の付勢力によって可動座金部材５４が上昇すると係合片部７３が係合溝８６と嵌合し、これにより、可動座金部材５４が座金保持孔から脱落しないよう保持されるようにした。【選択図】図２
2010205566.tif 000002
【特許請求の範囲】
【請求項１】
ネジ孔が設けられた平板状の接続片部を有する導電金具と、取付ネジを挿通装着する可動座金部材と、可動座金部材を上方付勢するバネとを絶縁性の樹脂製基板に装着してなり、前記取付ネジをネジ孔に螺合してリード線の端部を接続片部と可動座金部材の間に挟持することにより、該リード線を導電金具に電気的に接続するネジ式端子台であって、
可動座金部材は、前記取付ネジを挿通装着する平板状の座金片部と、該座金片部の縁に垂設される杆状の案内片部と、該座金片部の縁に立設される係合片部とを屈曲形成してなる一体の金属板片であって、案内片部を導電金具に形成された座金保持孔に挿通することによって、座金片部が接続片部に対して離近移動可能となるよう保持されており、
樹脂製基板は、係合片部の上方位置に係合片部と嵌合する係合溝を備え、
前記バネの付勢力によって可動座金部材が上昇すると係合片部が係合溝と嵌合し、これにより、可動座金部材が座金保持孔から脱落しないよう保持されることを特徴とするネジ式端子台。
【請求項２】
前記バネは圧縮コイルバネであって、上端部を案内片部に、下端部を絶縁性基板に弾接して、可動座金部材を上方付勢するものであって、
前記係合片部と案内片部は、座金片部の同側縁に配設されることを特徴とする請求項１記載のネジ式端子台。
【請求項３】
案内片部は、座金片部の一側縁の中央部に垂設されており、係合片部は、座金片部の前記一側縁の両側部に立設されることを特徴とする請求項２記載のネジ式端子台。
【請求項４】
複数列設されて集合端子台を構成するものであって、
樹脂製基板は上部に挿入口が開口する短絡部材接続孔を備え、導電金具には、該短絡部材接続孔の深部に位置することとなる部位に短絡用開口部が形成されており、
幅方向に延びる連結基部の下縁側に、下方に延びる接続脚部を複数並成してなる金属製導通板片を備える短絡部材を、接続脚部を短絡部材接続孔に挿入して導電金具の短絡用開口部に圧入し、金属製導通板片を導電金具と電気的に接続することによって、集合端子台を構成するネジ式端子台の導電金具間を短絡可能となっていることを特徴とする請求項１乃至請求項３のいずれか１項に記載のネジ式端子台。
【請求項５】
絶縁性基板には、短絡部材接続孔の挿入口の側縁に、接続脚部を該挿入口へ案内する案内壁部が立設されており、
短絡部材の接続脚部を短絡部材接続孔の奥まで挿入すると、短絡部材の上縁が案内壁部の上縁と同じ高さとなることを特徴とする請求項４記載のネジ式端子台。
【請求項６】
絶縁性基板には、短絡部材接続孔の挿入口の側縁に、接続脚部を該挿入口へ案内する案内壁部が立設されており、
前記短絡部材は導通板片の厚み方向に貫通する梃子棒貫通孔を備え、短絡部材の接続脚部を短絡部材接続孔の奥まで挿入した状態で、前記梃子棒貫通孔の一側が前記案内壁部に覆われるようになっており、
梃子棒貫通孔の他側から梃子棒を挿入し、該梃子棒の先端を案内壁部に当接させながら、樹脂製基板の上縁を支点とする梃子作用によって短絡部材を短絡部材接続孔から引き抜くようになっていることを特徴とする請求項４又は請求項５に記載のネジ式端子台。
【発明の詳細な説明】
【技術分野】
【０００１】
本発明は、取付ネジによってリード線の端部を導電金具に接続するネジ式端子台に関する。
【背景技術】
【０００２】
ネジ孔が設けられた平板状の接続片部を有する導電金具と、取付ネジを挿通装着する可動座金部材とを絶縁性の樹脂製基板に装着してなり、前記取付ネジをネジ孔に螺合して、リード線の端部を接続片部と可動座金部材の間に挟持することにより、該リード線を導電金具に電気的に接続するネジ式端子台は広く知られている。また、かかるネジ式端子台にあって、可動座金部材を上方付勢するバネを具備し、取付ネジとネジ孔の螺合を解除すると、該バネの付勢力によって可動座金部材が上昇し、接続片部と可動座金部材の間にリード線挿入用の間隙が自動的に形成されるものが知られている（例えば、特許文献１，２）。
【０００３】
ここで、特許文献１のネジ式端子台にあっては、可動座金部材が、前記取付ネジを挿通装着する平板状の座金片部と、該座金片部に垂設される杆状の案内片部とからなる略Ｌ字状の金属片であり、可動座金部材は、案内片部を導電金具に形成された座金保持孔に挿通することにより、座金片部が接続片部に対して離近移動可能となるよう保持される。ここで、導電金具の座金保持孔は四角長孔状をなしており、案内片部には、座金保持孔の長辺よりも短く、且つ座金保持孔の短辺よりも長い係合突起が形成されており、バネの付勢力によって可動座金部材が上昇した時に、係合突起が座金保持孔の縁に衝突することで可動座金部材が座金保持孔から脱落しないよう係止される。
【０００４】
また、特許文献２のネジ式端子台にあっては、可動座金部材が、前記取付ネジを挿通装着する平板状の座金片部と、該座金片部に垂設される杆状の案内片部と、該案内片部の下端部に連成される平板状の係止板部とからなる略コ字状の金属片であり、可動座金部材は、案内片部を導電金具に形成された切り溝状の座金保持溝に嵌合することにより、座金片部が接続片部に対して離近移動可能となるよう保持される。そして、かかるネジ式端子台にあっては、バネの付勢力によって可動座金部材が上昇した時に、係止板部が座金保持溝の縁に衝突することで、可動座金部材が座金保持溝から脱落しないよう保持される。
【先行技術文献】
【特許文献】
【０００５】
【特許文献１】実公昭６３−１８１２９号公報
【特許文献２】実公平６−３１６５６号公報
【発明の概要】
【発明が解決しようとする課題】
【０００６】
ところで、上記特許文献１のネジ式端子台では、案内片部に脱落防止用の係合突起が形成されており、導電金具の座金保持孔は、かかる案内片部を挿通させ得るように長辺の長いものとなっていた。このため、かかるネジ式端子台では、座金保持孔のために割くスペースが大きく、これにより、導電金具の設計自由度が制限されていた。また、案内片部を座金保持孔に挿入する際には、導電金具に対して可動座金部材を９０°捻らなくてはならないため、複雑な組立装置が必要であった。
【０００７】
一方、上記特許文献２のネジ式端子台では、案内片部の下端部に脱落防止用の係合板部が連成されているため、案内片部は導電金具の貫通孔に挿通保持するのではなく、切り溝状の座金保持溝に嵌合保持する構成となっている。このため、可動座金部材と導電金具の組付けは容易であるが、組み立てる時に外れやすいという欠点がある。
【０００８】
本発明は、かかる現状に鑑みてなされたものであり、可動座金部材を導電金具へ組み付け易く、且つ、可動座金部材が導電金具から脱落し難いネジ式端子台の提供を目的とする。
【課題を解決するための手段】
【０００９】
本発明は、ネジ孔が設けられた平板状の接続片部を有する導電金具と、取付ネジを挿通装着する可動座金部材と、可動座金部材を上方付勢するバネとを絶縁性の樹脂製基板に装着してなり、前記取付ネジをネジ孔に螺合してリード線の端部を接続片部と可動座金部材の間に挟持することにより、該リード線を導電金具に電気的に接続するネジ式端子台であって、可動座金部材は、前記取付ネジを挿通装着する平板状の座金片部と、該座金片部の縁に垂設される杆状の案内片部と、該座金片部の縁に立設される係合片部とを屈曲形成してなる一体の金属板片であって、案内片部を導電金具に形成された座金保持孔に挿通することによって、座金片部が接続片部に対して離近移動可能となるよう保持されており、樹脂製基板は、係合片部の上方位置に係合片部と嵌合する係合溝を備え、前記バネの付勢力によって可動座金部材が上昇すると係合片部が係合溝と嵌合し、これにより、可動座金部材が座金保持孔から脱落しないよう保持されることを特徴とするネジ式端子台である。
【００１０】
かかる構成にあっては、可動座金部材が上昇した時に、可動座金部材の係合片部を、樹脂製基板の係合溝に係合させることによって、可動座金部材が座金保持孔から脱落しないよう保持する。このため、上記特許文献１のネジ式端子台のように可動座金部材の案内片部に脱落防止用の係合突起を形成したり、上記特許文献２のネジ式端子台のように案内片部の下端部に脱落防止用の係合板部を設けたりすることが不要となる。
【００１１】
本発明にあって、前記バネは圧縮コイルバネであって、上端部を案内片部に、下端部を絶縁性基板に弾接して、可動座金部材を上方付勢するものであって、前記係合片部と案内片部は、座金片部の同側縁に配設される構成が提案される。かかる構成にあっては、案内片部の下端部に加わる圧縮コイルバネの付勢力を、案内片部の上方で保持することができるから、係合片部を係合溝に嵌合保持した状態で可動座金部材が傾き難い。
【００１２】
さらに、本発明にあって、案内片部は、座金片部の一側縁の中央部に垂設されており、係合片部は、座金片部の前記一側縁の両側部に立設される構成が提案される。かかる構成にあっては、案内片部の両側に配設された係合片部が係合溝に嵌合することにより、案内片部の下端部に加わる圧縮コイルバネの付勢力を、案内片部の両側で保持するから、圧縮コイルバネの付勢力に抗して可動座金部材を安定に保持できる。
【００１３】
また、本発明にあって、複数列設されて集合端子台を構成するものであって、樹脂製基板は上部に挿入口が開口する短絡部材接続孔を備え、導電金具には、該短絡部材接続孔の深部に位置することとなる部位に短絡用開口部が形成されており、幅方向に延びる連結基部の下縁側に、下方に延びる接続脚部を複数並成してなる金属製導通板片を備える短絡部材を、接続脚部を短絡部材接続孔に挿入して導電金具の短絡用開口部に圧入し、金属製導通板片を導電金具と電気的に接続することによって、集合端子台を構成するネジ式端子台の導電金具間を短絡可能となっている構成が提案される。かかる構成にあっては、短絡部材を接続片部と可動座金部材の間に挟持することなく集合端子台の端子台間を短絡できる。このため、短絡部材がリード線の接続の邪魔となることがなく、また、短絡部材を脱着する際に取付ネジを操作する手間も不要となる。
【００１４】
さらに、本発明にあって、絶縁性基板には、短絡部材接続孔の挿入口の側縁に、接続脚部を該挿入口へ案内する案内壁部が立設されており、短絡部材の接続脚部を短絡部材接続孔の奥まで挿入すると、短絡部材の上縁が案内壁部の上縁と同じ高さとなる構成が提案される。かかる構成にあっては、短絡部材を取り付ける際に、短絡部材と案内壁部の上縁が同じ高さであるか否かを目視確認することで、短絡部材がネジ式端子台に正常に装着されているか否かを確認できる。また、短絡部材を取り付ける際には、短絡部材を挿入した手先で絶縁性樹脂片と案内壁部の上縁の高さが一致していることを確認することで、短絡部材の適正な装着を確認できる。
【００１５】
また、本発明にあって、絶縁性基板には、短絡部材接続孔の挿入口の側縁に、接続脚部を該挿入口へ案内する案内壁部が立設されており、前記短絡部材は導通板片の厚み方向に貫通する梃子棒貫通孔を備え、短絡部材の接続脚部を短絡部材接続孔の奥まで挿入した状態で、前記梃子棒貫通孔の一側が前記案内壁部に覆われるようになっており、梃子棒を梃子棒貫通孔の他側から梃子棒を挿入し、該梃子棒の先端を案内壁部に当接させながら、樹脂製基板の上縁を支点とする梃子作用によって短絡部材を短絡部材接続孔から引き抜くようになっている構成が提案される。かかる構成にあっては、短絡部材を抜き取る際に、梃子棒貫通孔に梃子棒の先端部のみを挿入するだけで足りるから、迅速に抜取り操作を行えるという利点がある。また、かかる抜取りの際には案内壁部が短絡部材を側面から支持するから、梃子棒の負荷によって短絡部材が変形し難いといった利点がある。
【発明の効果】
【００１６】
本発明のネジ式端子台は、可動座金部材の係合片部と樹脂製基板の係合溝の係合によって可動座金部材の脱落を防止する構成であるから、案内片部に脱落防止用の係止突起が不要となる。このため、上記特許文献１のネジ式端子台と比較すると、本発明では導電金具の座金保持孔を小さくでき、導電金具の設計自由度が向上する。したがって、本発明によれば、ネジ式端子台をコンパクト化でき、また、サイズを維持したまま高機能化できる。また、本発明にあっては、可動座金部材を捻ることなく座金保持孔にそのまま挿通保持することができるため、組立装置を簡略化でき、組立てコストを削減できる。
【００１７】
また、上記特許文献２のネジ式端子台と比較すると、本発明のネジ式端子台は、可動座金部材を導電金具の座金保持孔に挿通保持する構成であるから、導電金具に組み付けた際に可動座金部材が外れ難いという利点がある。また、特許文献２のネジ式端子台は、左右対称形状とした場合に、可動座金部材を切り溝に嵌合保持するために左側と右側で異なる形状の可動座金部材を装着する必要があるが、本発明のネジ式端子台は可動座金部材を挿通保持する構成であるため、ネジ式端子台を左右対称形状にした時に、左右で同じ形状の可動座金部材を装着することができるから、部品点数の増加を抑えることができる。
【図面の簡単な説明】
【００１８】
【図１】ネジ式端子台５１の斜視図である。
【図２】ネジ式端子台５１の正面図である。
【図３】集合端子台５０の側面の拡大図である。
【図４】ネジ式端子台５１の分解斜視図である。
【図５】導電金具５３と可動座金部材５４を分離して示す斜視図である。
【図６】短絡部材１の斜視図である。
【図７】短絡部材１の正面図である。
【図８】短絡部材１と導電金具５３の接続態様を示す説明図である。
【図９】短絡部材１の取付け操作を示す斜視図である。
【図１０】短絡部材１の取外し操作を示す斜視図である。
【発明を実施するための形態】
【００１９】
本発明の実施形態を、以下の実施例に従って説明する。
【００２０】
図１，２は、上記短絡部材１によって短絡するネジ式端子台５１である。ネジ式端子台５１は、変性ＰＰＯ樹脂等の絶縁性樹脂材料によって板状に形成された左右対称の樹脂製基板５２を主体部とするものであり、図３に示すように、金属製の据付レールＡの上に複数列設されて集合端子台５０を構成する。樹脂製基板５２には、板状の導電金具５３が横断状に装着される。導電金具５３の両側にはリード線Ｌを接続するための平板状の接続片部６１，６１が形成される。各接続片部６１には可動座金部材５４が昇降移動可能に保持されており、また、該可動座金部材５４には取付ネジ５５が挿通装着されている。リード線Ｌを接続片部６１に接続する際には、まず、リード線Ｌの端部の圧着端子Ｔを可動座金部材５４と接続片部６１の間に挿入し、次いで、取付ネジ５５を接続片部６１に螺着して、可動座金部材５４と接続片部６１の間に圧着端子Ｔを脱落不能に挟持する。そして、各接続片部６１に接続したリード線Ｌは導電金具５３を介して結線されることとなる。なお、以下の説明では、図２に示される側をネジ式端子台５１の正面側として説明する。
【００２１】
ネジ式端子台５１は、図１，２，４に示すように、導電金具５３の各接続片部６１，６１に対して、可動座金部材５４及び取付ネジ５５を組み付けた後に、樹脂製基板５２に装着し、さらに、各可動座金部材５４の下端部と樹脂製基板５２の底部の間に可動座金部材５４を上方付勢する圧縮コイルバネ５６を装着してなるものである。
【００２２】
樹脂製基板５２は、図４に示すように、背板８１から所定肉厚の画成壁８２を突出させることにより、導電金具５３や可動座金部材５４を装着する座定溝面８３などを正面側で開放状に形成してなるものである。また、この樹脂製基板５２の底部には、据付レールＡの上部と係合する連結片８４，８４が形成される。
【００２３】
導電金具５３は、図５に示すように、磨耗・変形し難い帯板状の長尺金属片からなる。この導電金具５３は、左右の一対の平板状の接続片部６１，６１を段差なく連成してなるものであり、左右対称形状をなしている。接続片部６１の端部寄り位置には下方に絞り加工が施され、該加工部分に取付ネジ５５と螺合するネジ孔６２が形成されている。また、ネジ孔６２の内側近傍には、可動座金部材５４の案内片部７２が漸く通過し得る程度の幅寸法の座金保持孔６４が形成され、該座金保持孔６４の内側近傍に、短絡部材１の接続脚部４が内嵌する矩形状の短絡用開口部６０，６０が形成される。
【００２４】
可動座金部材５４は、図５に示すように、打ち抜いた一枚の金属板片を屈曲形成してなるものであり、矩形平板状の座金片部７１と、該座金片部７１の内側縁に垂設される杆状の案内片部７２と、該座金片部７１の内側縁に立設される突起状の係合片部７３，７３とを備えている。座金片部７１の中央には取付ネジ５５を挿通装着するネジ挿通孔７４が貫設される。また、座金片部７１の下面の、ネジ挿通孔７４の周囲には、圧着端子Ｔを強く圧接することとなる圧接突部７５が隆起している。案内片部７２は、凹凸のない直杆状をなしており、座金片部７１の縁から座金片部７１と直交する方向に垂下している。案内片部７２は、その下端部のみに圧縮コイルバネ５６が内嵌するように、該下端部が圧縮コイルバネ５６の内径よりも下端部が幅狭に、中央部が幅広に設計されている。係合片部７３は、座金片部７１の内側縁から上方に突出しており、後述するように、可動座金部材５４が上昇した時に樹脂製基板５２と嵌合することとなる。
【００２５】
各可動座金部材５４は、その案内片部７２を座金保持孔６４に挿通することによって導電金具５３に昇降可能に保持されて、その座金片部７１が接続片部６１に対して離近移動可能となるよう保持される。かかる保持状態では、座金片部７１のネジ挿通孔７４と接続片部６１のネジ孔６２とが上下に対向しており、可動座金部材５４を下降させると、座金片部７１に挿通装着された取付ネジ５５をネジ孔６２に螺着可能となる。また、図２に示すように、圧縮コイルバネ５６は、その上端部を案内片部７２の下端部に外嵌し、その下端部を樹脂製基板５２の底部に当接して、座金片部７１が接続片部６１から離間することとなる上方向に可動座金部材５４を付勢する。
【００２６】
また、図１，２に示すように、可動座金部材５４は、樹脂製基板５２の背板８１に突成される案内用突部８５によって、傾くことなく昇降するよう側方から支持される。また、可動座金部材５４の係合片部７３の上方位置には、係合溝８６が画成壁８２によって形成されており、可動座金部材５４が上昇すると係合片部７３が係合溝８６と嵌合し、これにより、可動座金部材５４が座金保持孔６４から脱落しないよう保持される。
【００２７】
圧着端子Ｔを接続片部６１に接続する場合には、図１の左側に示すように、可動座金部材５４が上昇した状態で、圧着端子Ｔを接続片部６１と座金片部７１の間に挿入し、次いで、圧縮コイルバネ５６の付勢力に抗して可動座金部材５４を下降させて取付ネジ５５をネジ孔６２と螺合させることにより、圧着端子Ｔを接続片部６１と座金片部７１とで挟持する。
【００２８】
圧着端子Ｔの接続を解除する場合には、取付ネジ５５を緩めればよい。取付ネジ５５がネジ孔６２から脱落すれば、圧縮コイルバネ５６によって可動座金部材５４が自動的に上昇するため、可動座金部材５４を持ち上げることなく圧着端子Ｔを抜き取ることができる。
【００２９】
次に、上記ネジ式端子台５１を短絡するのに使用する短絡部材について説明する。
図６，７に示すように、本実施例の短絡部材１は櫛歯板状をなしている。この短絡部材１は、櫛歯状をなす金属製の導通板片２と、該導通板片２の上部を被覆するナイロン製の絶縁性樹脂片３とで構成される。導通板片２は二本の接続脚部４，４を備えており、短絡部材１は各接続脚部４を隣接するネジ式端子台５１の導電金具５３（図２，３参照）に接続することによって二台のネジ式端子台５１間を短絡する。短絡部材１の上部には、ネジ式端子台５１から抜き取る際に使用する梃子棒貫通孔１０が厚み方向に貫通している。
【００３０】
導通板片２は、図７に示すように、幅方向に延びる連結基部５と、該連結基部５の下縁に、下方に延びる二本の接続脚部４を並成してなる櫛歯状をなす。この接続脚部４は、中央を上下に縦断する切欠溝７が形成されて二本の分岐脚部６，６に分枝している。二本の分岐脚部６，６は幅方向に撓むことができ、接続脚部４は、図８に示すように、その先端部を導電金具５３の短絡用開口部６０に圧入し、圧入により内側に撓んだ各分岐脚部６を短絡用開口部６０の内側縁に弾接させることによって、導通板片２と導電金具５３の電気的接続を実現する。
【００３１】
次に、短絡部材１の着脱に関する構成について説明する。
図１，２に示すように、樹脂製基板５２には、上部に挿入口５７ａが開口する上下方向の短絡部材接続孔５７が左右対称位置に一つずつ形成されている。各短絡部材接続孔５７は短絡部材１の接続脚部４を挿入し得る幅寸法をなしており、また、その深部には導電金具５３の短絡用開口部６０が位置している。
【００３２】
各短絡部材接続孔５７の挿入口５７ａの外側縁には案内壁部８７が立設される。この案内壁部８７の壁面は、短絡部材接続孔５７の内壁面と連続しており、短絡部材１を着脱する際に、接続脚部４の先端を挿入口５７ａに案内するガイドとして機能する。また、後述するように、案内壁部８７は、短絡部材１を取り外す際に梃子棒Ｒ（図１０参照）の支持部としても機能する。
【００３３】
短絡部材１を装着する際には、図２，９に示すように、短絡部材１を上方から短絡部材接続孔５７に挿入する。この時、作業者は、案内壁部８７の案内作用によって、接続脚部４の先端を容易に短絡部材接続孔５７の挿入口５７ａに挿入できる。そして、短絡部材１をある程度挿入すると、接続脚部４の先端が導電金具５３の短絡用開口部６０に到達する（図８（ａ）参照）。そこから、短絡部材１をさらに挿入すると、分岐脚部６の案内作用によって、接続脚部４が各分岐脚部６を内側に撓ませながら短絡用開口部６０に圧入される（図８（ｂ）参照）。かかる状態にあっては、分岐脚部６の先端部が短絡用開口部６０の内側縁と弾接することで、導通板片２と導電金具５３が電気的に接続するとともに、短絡部材１がネジ式端子台５１から引抜困難に保持される。なお、図示した短絡部材１は接続脚部４を二本備えるものであるが、ネジ式端子台５１には、接続脚部４を三本以上備える短絡部材も同様に接続可能である。
【００３４】
次に、梃子棒Ｒを用いた短絡部材１の取外し操作について説明する。
図１０に示すように、短絡部材１を各ネジ式端子台５１の導電金具５３と接続した状態では、梃子棒貫通孔１０は、内側の開口部がネジ式端子台５１の上部に露出し、外側の開口部が案内壁部８７によって覆われている。短絡部材１を抜き取る際には、図１０に示すように、ドライバー等の梃子棒Ｒの先端を内側から梃子棒貫通孔１０に挿入し、梃子棒Ｒの先端を案内壁部８７に当接させながら、他側の案内壁部８７の上縁を支点とする梃子作用によって梃子棒Ｒの先端で梃子棒貫通孔１０の内側を上方へ押圧し、各接続脚部４を短絡用開口部６０から脱落させて、短絡部材１を短絡部材接続孔５７から抜き取る。かかる抜取り操作にあっては、梃子棒貫通孔１０の外側の開口部が案内壁部８７で覆われているため、梃子棒貫通孔１０に挿入するのは梃子棒Ｒの先端部のみで足り、既存のネジ式端子台のように梃子棒を梃子棒貫通孔に深く挿入しなくてよいため、抜取り操作を手早く行えるという利点がある。また、かかる抜取り操作の際には案内壁部８７が短絡部材１を側面から支持するから、梃子棒Ｒの負荷によって短絡部材１が変形し難いといった利点がある。
【００３５】
以下に、本発明の要部に係る構成を詳細に説明する。
【００３６】
上述のように、可動座金部材５４は、図５に示すように、打ち抜いた一枚の金属板片を屈曲形成してなるものであり、矩形平板状の座金片部７１と、該座金片部７１の内側縁に垂設される杆状の案内片部７２と、該座金片部７１の内側縁に立設される突起状の係合片部７３，７３とを備えている。案内片部７２は座金片部７１の内側縁の中央部に垂設され、係合片部７３，７３は座金片部７１の内側縁の両側部に、案内片部７２を挟むように立設されている。そして、図２，４に示すように、可動座金部材５４は、樹脂製基板５２に装着された状態で、案内片部７２の下端部に外嵌する圧縮コイルバネ５６によって上方に付勢される。そして、樹脂製基板５２には、該係合片部７３と嵌合する下向きの係合溝８６が形成されており、圧縮コイルバネ５６の付勢力によって可動座金部材５４が上昇すると、係合片部７３が係合溝８６に嵌合し、これにより、可動座金部材５４がその高さ以上に上昇しないよう保持され、案内片部７２が座金保持孔６４から脱落しないよう保持される。
【００３７】
かかる構成にあっては、可動座金部材５４が上昇した時に、係合片部７３と係合溝８６が係合することによって、可動座金部材５４が導電金具５３から脱落しないよう保持される。このため、上記特許文献１のネジ式端子台のように可動座金部材の案内片部に脱落防止用の係合突起を形成したり、上記特許文献２のネジ式端子台のように案内片部の下端部に脱落防止用の係合板部を設けたりすることが不要となる。
【００３８】
また、本実施例のネジ式端子台５１は、案内片部に脱落防止用の係止突起を設けた従来構成に比べて導電金具の座金保持孔を小さくでき、これにより、導電金具の設計自由度を向上させることができる。具体的には、本実施例における導電金具５３には、図５に示すように、座金保持孔６４の脇に短絡用開口部６０を形成しているが、従来構成のように案内片部に脱落防止用の係止突起を設ける場合には、座金保持孔を導電金具の長尺方向に長くしなくてはならないため、本実施例のように短絡用開口部を形成するのは困難となる。
【００３９】
また、本実施例にあっては、可動座金部材５４を導電金具５３に組み付ける際に、可動座金部材５４を捻ることなく、そのまま案内片部７２を座金保持孔６４に挿通するだけでよいため、可動座金部材５４を導電金具５３に容易に組み付け可能となる。
【００４０】
また、本実施例のネジ式端子台は、従来構成よりも座金保持孔が小さくなる分、案内片部を座金保持孔に挿入した際に、可動座金部材がぐらつき難く、部品の組立てが容易となる。詳述すると、部品の組立時には、図５に示すように、可動座金部材５４を導電金具５３に組み付けた後に、取付ネジ５５を導電金具５３に螺合させるのであるが、この時、可動座金部材５４の保持が不十分であると、可動座金部材５４のネジ挿通孔７４と導電金具５３のネジ孔６２との位置合わせを行い難く、組立作業に手間取るといった問題があるが、本実施例にあっては、座金保持孔６４は案内片部７２が漸く通過し得る程度の幅寸法であり、可動座金部材５４が座金保持孔６４に安定に保持されるため、取付ネジ５５を導電金具５３にスムーズに螺合させることができる。
【００４１】
また、上記特許文献２のネジ式端子台と比較すると、本発明のネジ式端子台５１は、可動座金部材５４を導電金具５３の座金保持孔６４に挿通保持する構成であるから、導電金具５３に組み付けた際に可動座金部材５４が外れ難いという利点がある。また、特許文献２のネジ式端子台は、左右対称形状とした場合に、可動座金部材を切り溝に嵌合保持するために左側と右側で異なる形状の可動座金部材を装着する必要があるが、本発明のネジ式端子台は可動座金部材を挿通保持する構成であるため、ネジ式端子台を左右対称形状にした時に、左右で同じ形状の可動座金部材を装着することができるから、部品点数の増加を抑えることができる。
【００４２】
また、本実施例の構成にあっては、案内片部７２と係合片部７３は座金片部７１の同じ内側縁に形成されており、図２に示すように、案内片部７２と係合片部７３と係合溝８６とが正面から見たときに上下方向に略直線上に配置されることとなる。かかる構成によれば、案内片部７２の下端部に加わる圧縮コイルバネ５６の付勢力を、案内片部７２の直上方で保持することができるから、係合溝８６に嵌合保持した状態で可動座金部材５４が左右に傾かず、可動座金部材５４を安定に保持できる。
【００４３】
また、本実施例の構成にあっては、図５に示すように、係合片部７３は、座金片部７１の内側縁の前後両側に、案内片部７２を前後に挟むように立設されており、これにより、案内片部７２の下端部に加わる圧縮コイルバネ５６の付勢力を、案内片部７２の前後両側で保持するようになっている。このため、係合溝８６に嵌合保持した状態で可動座金部材５４が前後に傾かず、可動座金部材５４を安定に保持できる。
【００４４】
また、本実施例のネジ式端子台５１は、複数列設されて集合端子台５０を構成するものであって、樹脂製基板５２は上部に挿入口５７ａが開口する短絡部材接続孔５７を備え、導電金具５３には、該短絡部材接続孔５７の深部に位置することとなる部位に短絡用開口部６０が形成されており、短絡部材１の接続脚部４を短絡部材接続孔５７に挿入して導電金具５３の短絡用開口部６０に圧入し、金属製導通板片２を導電金具５３と電気的に接続することによって、集合端子台５０を構成するネジ式端子台５１の導電金具５３間を短絡可能となっている。このため、リード線を接続するのと同様に、短絡部材を接続片部と可動座金部材の間に挟持する既存のネジ式端子台に比べて、リード線の接続可能本数を減らすことなく端子台間を短絡でき。また、取付ネジを操作することなく、短絡部材をネジ式端子台に容易に脱着できるという利点がある。
【００４５】
また、図２，９，１０に示すように、本実施例に係る短絡部材１は幅方向に延びる平坦な上縁を有しており、短絡部材１が短絡部材接続孔５７の奥まで挿入されて、接続脚部４が導電金具５３と適正に接続された状態で、短絡部材１の上縁が案内壁部８７の上縁と同じ高さで隣接するように設定されている。かかる構成によれば、短絡部材１をネジ式端子台５１に適正に装着すると、短絡部材１の上縁が、ネジ式端子台５１の案内壁部８７の上縁と同じ高さとなるため、短絡部材１をネジ式端子台５１に取り付ける際には、短絡部材１と案内壁部８７の上縁が同じ高さであるか否かを目視確認することで、短絡部材１がネジ式端子台５１に正常に装着されているか否かを確認できる。また、ネジ式端子台５１に装着した状態で短絡部材１と案内壁部８７は隣接するから、短絡部材１を取り付ける際には、短絡部材１を挿入した手先で絶縁性樹脂片３と案内壁部８７の上縁が段差なく隣接したことを確認することで、短絡部材１の適正な装着を確認できる。
【００４６】
また、本実施例にあっては、絶縁性基板８２には、短絡部材接続孔５７の挿入口５７ａの側縁に、接続脚部４を該挿入口５７ａへ案内する案内壁部８７が立設されており、前記短絡部材１は導通板片２の厚み方向に貫通する梃子棒貫通孔１０を備え、短絡部材１の接続脚部４を短絡部材接続孔５７の奥まで挿入した状態で、前記梃子棒貫通孔１０の一側が前記案内壁部８７に覆われるようになっており、梃子棒Ｒを梃子棒貫通孔１０の他側から梃子棒Ｒを挿入し、該梃子棒Ｒの先端を案内壁部８７に当接させながら、樹脂製基板５２の上縁を支点とする梃子作用によって短絡部材１を短絡部材接続孔５７から引き抜くようになっている。かかる構成にあっては、ネジ式端子台５１から短絡部材１を抜き取る際に、梃子棒貫通孔１０に梃子棒Ｒの先端部のみを挿入するだけで足り、梃子棒を梃子棒貫通孔に深く挿入しなくてよいため、抜取り操作を手早く行えるという利点がある。また、かかる抜取り操作の際には案内壁部８７が短絡部材１を側面から支持するから、梃子棒Ｒの負荷によって短絡部材１が変形し難いといった利点がある。
【００４７】
なお、本発明のネジ式端子台は、上記実施例の形態に限らず本発明の要旨を逸脱しない範囲内において種々変更を加えることができる。
【００４８】
例えば、上記実施例に係る導電金具５３は左右に接続片部６１，６１を具備するものであったが、本発明にあって、導電金具は３つ以上の接続片部を有するものであってもよいし、ネジ式端子台は複数の導電金具を具備するものでも構わない。また、本発明は、接続片部に接続したリード線を、導電金具を介して基板回路と接続するネジ式端子台にも適用可能である。かかるネジ式端子台の場合は接続片部が一つでも構わない。
【００４９】
また、実施例では、取付ネジ５５が可動座金部材５４の座金片部７１に直接挿通装着されているが、取付ネジ５５と座金片部７１の間にさらに座金を介在させてもかまわない。
【００５０】
また、上記実施例のネジ式端子台５１は、端部に圧着端子を備えるリード線を接続するものであるが、本発明は、端部に圧着端子を備えないリード線を接続するタイプのネジ式端子台にも適用可能である。
【符号の説明】
【００５１】
１  短絡部材
２  導通板片
４  接続脚部
５  連結基部
１０  梃子棒貫通孔
５０  集合端子台
５１  端子台
５２  樹脂製基板
５３  導電金具
５４  可動座金部材
５５  取付ネジ
５６  圧縮コイルバネ
５７  短絡部材接続孔
５７ａ  挿入口
６０  短絡用開口部
６１  接続片部
６２  ネジ孔
６４  座金保持孔
７１  座金片部
７２  案内片部
７３  係合片部
８６  係合溝
８７  案内壁部
Ｌ  リード線
Ｒ  梃子棒
【図１】
2010205566.tif 000003
【図２】
2010205566.tif 000004
【図３】
2010205566.tif 000005
【図４】
2010205566.tif 000006
【図５】
2010205566.tif 000007
【図６】
2010205566.tif 000008
【図７】
2010205566.tif 000009
【図８】
2010205566.tif 000010
【図９】
2010205566.tif 000011
【図１０】
2010205566.tif 000012